(57)【特許請求の範囲】
【請求項１】
給湯器に第１メイン配管を接続し、その第１メイン配管に継手を介して複数の分岐配管を分岐接続し、各分岐配管に水廻り設備を接続し、水廻り設備に湯水を供給すると共に、給水源に第２メイン配管を接続し、その第２メイン配管に継手を介して複数の分岐配管を分岐接続し、各分岐配管に水廻り設備を接続し、水廻り設備に水を供給するように構成した配管システムであって、
前記第１メイン配管の内径を第２メイン配管の内径より小さくなるように設定することを特徴とする配管システム。
【請求項２】
前記継手における分岐配管のシールが分岐配管の外周面でシールする構造を有することを特徴とする請求項１に記載の配管システム。
【請求項３】
給湯器に接続される第１メイン配管に継手を介して複数の分岐配管を分岐接続し、各分岐配管に水廻り設備を接続すると共に、給水源に接続される第２メイン配管にヘッダーを介して複数の分岐配管を分岐接続し、各分岐配管に水廻り設備を接続する配管システムの製造方法であって、
前記第１メイン配管として、前記第２メイン配管の内径よりも内径が小さくなるように設定された配管を用いることを特徴とする配管システムの製造方法。
【発明の詳細な説明】
【技術分野】
【０００１】
本発明は、給湯、給水系の配管システムにおいて、水廻り設備に供給される水の流量を維持しつつ、水廻り設備に供給される湯水について湯待ち時間の短い配管システム及び配管システムの製造方法に関するものである。
【背景技術】
【０００２】
従来、この種の配管システムとして、主管をヘッダーを介して複数の枝管に分岐し、それらの枝管を対応する水廻り設備に接続するようにしたヘッダー式給水配管が知られている（例えば、特許文献１を参照）。すなわち、主管の口径を、屋外に設置された量水器の口径や水廻り設備の同時使用頻度に応じて設定してヘッダー本体の口径とほぼ同じかそれよりも小さくすると共に、枝管の口径を、水廻り設備の必要水量に応じてヘッダー本体の口径よりも小さくするようにしたものである。そして、水廻り設備で適正な水量を確保することができるようになっている。
【０００３】
また、給水主管から量水器を経て住戸内の各用途別の各水栓に給水する給水配管の各枝管及び給湯器から各水栓に給湯する給湯配管の各枝管に個別の流量特性を持つ定流量器を設けた給水、給湯用配管システムが知られている（例えば、特許文献２を参照）。
【特許文献１】特開２００１−１４６７７２号公報（第２頁及び第４頁）
【特許文献２】特開平８−２９６２５８号公報（第２頁及び第３頁）
【発明の開示】
【発明が解決しようとする課題】
【０００４】
ところが、特許文献１に記載されているヘッダー式給水配管においては次のような問題があった。すなわち、係るヘッダー式給水配管では水廻り設備で適正な水量を確保することはできるが、そのヘッダー式給水配管を給湯配管に適用した場合には、水量が多くなる傾向があり、必要な温度の湯水が得られるまでの湯待ち時間が長くなるという欠点があった。従って、給湯と給水との双方において、水廻り設備で十分な湯水又は水を確保し、かつ給湯の場合における湯待ち時間を短縮することができなかった。
【０００５】
また、特許文献２に記載されている給水、給湯用配管システムにおいては、各水栓毎に個別の定流量器が設けられているが、それらの定流量器に必要量の湯水又は水が供給されると共に、必要な温度の湯水が供給されなければならない。しかし、そのような点が特許文献２には明らかにされておらず、特に湯待ち時間を短くする手段が不明であり、単に定流量器で各水栓に一定流量の湯水又は水を供給しているに過ぎない。
【０００６】
そこで本発明の目的とするところは、水廻り設備に供給される水の流量を維持しつつ、水廻り設備に供給される湯水の湯待ち時間を短くすることができる配管システム及び配管システムの製造方法を提供することにある。
【課題を解決するための手段】
【０００７】
上記の目的を達成するために、請求項１に記載の発明の配管システムは、給湯器に第１メイン配管を接続し、その第１メイン配管に継手を介して複数の分岐配管を分岐接続し、各分岐配管に水廻り設備を接続し、水廻り設備に湯水を供給すると共に、給水源に第２メイン配管を接続し、その第２メイン配管に継手を介して複数の分岐配管を分岐接続し、各分岐配管に水廻り設備を接続し、水廻り設備に水を供給するように構成した配管システムであって、前記第１メイン配管の内径を第２メイン配管の内径より小さくなるように設定することを特徴とするものである。
【００１０】
請求項２に記載の発明の配管システムは、請求項１に係る発明において、前記継手における分岐配管のシールが分岐配管の外周面でシールする構造を有することを特徴とするものである。
請求項３に記載の配管システムの製造方法は、給湯器に接続される第１メイン配管に継手を介して複数の分岐配管を分岐接続し、各分岐配管に水廻り設備を接続すると共に、給水源に接続される第２メイン配管にヘッダーを介して複数の分岐配管を分岐接続し、各分岐配管に水廻り設備を接続する配管システムの製造方法であって、前記第１メイン配管として、前記第２メイン配管の内径よりも内径が小さくなるように設定された配管を用いることを特徴とするものである。
【発明の効果】
【００１１】
本発明によれば、次のような効果を発揮することができる。
請求項１に記載の発明の配管システムにおいては、給湯器に接続される第１メイン配管の内径が給水源に接続される第２メイン配管の内径より小さくなるように設定されている。このため、第１メイン配管の断面積が第２メイン配管の断面積よりも小さくなり、給湯器で加熱された湯水が第１メイン配管内を流れる流速が上昇する。従って、水廻り設備に供給される湯水について湯待ち時間を短くすることができる。また、給水源に接続される第２メイン配管の内径は従来と変わらないので、水廻り設備に供給される水の流量を維持することができる。
【００１３】
また、各分岐配管は第１メイン配管又は第２メイン配管に継手を介して直接接続されている。従って、ヘッダーによる抵抗がないため、各水廻り設備への湯水及び水の流量を増加させることができると共に、湯水の湯待ち時間を短縮することができる。
【００１４】
請求項２に記載の発明の配管システムでは、継手における分岐配管のシールが分岐配管の外周面でシールする構造を有している。このため、継手におけるシールが分岐配管の内周面でシールする構造に比べて、湯水又は水の流路を広げることができる。従って、各水廻り設備への湯水及び水の流量を増加させることができる。
【発明を実施するための最良の形態】
【００１５】
以下、本発明の最良と思われる実施形態につき、図面を用いて詳細に説明する。
まず、給湯器又は給水源と各水廻り設備とをヘッダーを介して接続するヘッダー工法について説明する。図１に示すように、給湯器１１には第１メイン配管１２の一端が接続され、その他端が第１ヘッダー１３の端部に設けられた継手１４に接続されている。第１ヘッダー１３の側部には７つの継手１４が接続され、各継手１４にはそれぞれ分岐配管１５の一端が接続され、その他端が水廻り設備としての洗面設備１６、トイレ設備１７、シャワー設備１８、風呂設備１９、洗濯設備２０、暖房設備２１及び台所設備２２の各継手１４に接続されている。
【００１６】
一方、給水源２３には第２メイン配管２４の一端が接続され、その他端が第２ヘッダー２５の端部に設けられた継手１４に接続されている。第２ヘッダー２５の側部には７つの継手１４が螺合接続されている。各継手１４にはそれぞれ分岐配管１５が接続され、水廻り設備としての洗面設備１６、トイレ設備１７、シャワー設備１８、風呂設備１９、洗濯設備２０、暖房設備２１及び台所設備２２の各継手１４に接続されている。ヘッダー工法において、特に水廻り設備での湯水の湯待ち時間を短縮するために、第１メイン配管１２の内径は第２メイン配管２４の内径より小さくなるように設定される。
【００１７】
次に、給湯器１１又は給水源２３と各水廻り設備とを継手１４を介して分岐接続する分岐工法について説明する。図２に示すように、給湯器１１には第１メイン配管１２の一端が接続され、その他端が水廻り設備側に位置する分岐用の継手（チーズ）１４に接続されている。係る継手１４には分岐配管１５の一端が接続され、分岐配管１５の他端は水廻り設備としての洗面設備１６、トイレ設備１７、シャワー設備１８、風呂設備１９、洗濯設備２０、暖房設備２１及び台所設備２２に設けられた各継手１４に接続されている。
【００１８】
一方、給水源２３には第２メイン配管２４の一端が接続され、その他端が水廻り設備側に位置する分岐用の継手（チーズ）１４に接続されている。係る継手１４には分岐配管１５の一端が接続され、分岐配管１５の他端は水廻り設備としての洗面設備１６、トイレ設備１７、シャワー設備１８、風呂設備１９、洗濯設備２０、暖房設備２１及び台所設備２２に設けられた各継手１４に接続されている。分岐工法において、特に水廻り設備での湯水の湯待ち時間を短縮するために、第１メイン配管１２の内径は第２メイン配管２４の内径より小さくなるように設定される。
【００１９】
次いで、前記継手１４について説明する。継手１４には配管（パイプ）の外周部でシールする外径シール継手と、配管の内周部でシールする内径シール継手とがある。まず、外径シール継手について説明する。
【００２０】
図３に示すように、継手１４を構成する継手本体３１の貫通孔３１ａの内周面には、段差部３１ｂが形成され、貫通孔３１ａの内部に挿入された内筒３２の内端部に形成されたフランジ部３２ａが当接されている。前記継手本体３１の貫通孔３１ａの内周面に形成された複数（本実施形態では２つ）の環状溝３１ｃにはシールリング３３がそれぞれ収容されている。前記継手本体３１の開口端の段差部３１ｄには、一対の抜け止めリング（ロックリング）３４がスペーサ３５を介して係止され、継手本体３１の一端部内周面に形成された雌ネジ穴３１ｅに螺合された締付ナット３６によって、前記抜け止めリング３４の外周縁が所定位置に保持されている。
【００２１】
該抜け止めリング３４は、円環状をなす外周側の該ベースリング３４ａと、そのベースリング３４ａの内周部から折曲げられて斜めに延びる複数枚の保持爪３４ｂとを備えている。抜け止めリング３４はステンレス鋼により厚さ０．２〜０．４ｍｍに形成され、保持爪３４ｂは配管の差し込み方向に傾斜し、その傾斜角度（継手本体３１の軸線方向に対する傾斜角度）は約４５度に設定されている。継手本体３１の他端部（図３の左端部）の外周面には、雄ねじ部３７が螺刻され、ヘッダー、配管等の管体と螺合可能になっている。
【００２２】
そして、前記内筒３２の外周面と、継手本体３１及び締付ナット３６の内周面との間に形成された配管差し込み用の差し込み空間３８に分岐配管１５等の配管を差し込むことによって、継手１４に配管を接続できるようになっている。配管は、ポリオレフィン（架橋ポリエチレン、ポリブテン等）等の合成樹脂や、合金（真鍮、青銅等）等の金属により形成されている。この接続状態では、抜け止めリング３４の保持爪３４ｂが配管の外周面に食い込むため、配管が前記差し込み空間３８から抜け出ないようになっている。
【００２３】
続いて、内径シール継手について説明する。図４に示すように、継手本体３１の基端部にはヘッダー、配管等の管体に螺合される雄ねじ部３７が設けられるとともに、先端部には縮径されて延びる案内筒部４１が設けられている。継手本体３１はほぼ円筒状に形成され、その内部の貫通孔３１ａを湯水又は水が流通するようになっている。前記案内筒部４１には配管の端部が外嵌されて接続されるようになっている。継手本体３１の先端側には、継手本体３１を構成するほぼ円筒状の胴筒体４３が雄ねじと雌ねじとの螺合関係により連結されている。
【００２４】
胴筒体４３の先端外周のねじ部４４には継手本体３１を構成する締付ナット３６が螺合され、胴筒体４３の先端面と締付ナット３６内周の第１段部４５との間に抜け止めリング３４のベースリング３４ａが保持されている。締付ナット３６の内周面には、前記第１段部４５より先端側に連なる第２段部４６が形成され、さらにその第２段部４６より先端側に連なる傾斜面４７が形成されている。前記案内筒部４１の外周面と、胴筒体４３及び締付ナット３６の内周面との間の空間部に配管が差し込まれる差し込み空間３８が形成されている。
【００２５】
締付ナット３６の内側空間で前記抜け止めリング３４と締付ナット３６の第２段部４６及び傾斜面４７との間には、金属製の補助リング４８が介装されている。補助リング４８は軸線方向から見てほぼＣ字状に形成され、縮径可能になっている。この補助リング４８は、抜け止めリング３４の保持爪３４ｂに接触して保持爪３４ｂの縮径により縮径方向に付勢される接触部４９と、差し込み空間３８に差し込まれた配管を周囲から締め付けてその抜け出しを抑える締付部５０とを備えている。補助リング４８の接触部４９には約４５度の傾斜角度を有する斜面が形成され、差し込まれた配管に引き抜き力が加わって抜け止めリング３４の保持爪３４ｂの傾斜が大きくなったとき保持爪３４ｂの傾斜を制限するようになっている。
【００２６】
補助リング４８の基端側外周面には、その軸線方向と直交方向に延び、抜け止めリング３４のベースリング３４ａに係合する保持突起５１が設けられ、補助リング４８が抜け止めリング３４の軸線に対して傾かないように保持されている。前記抜け止めリング３４のベースリング３４ａは、胴筒体４３の先端面と補助リング４８の保持突起５１基端面との間に保持されている。この場合、ベースリング３４ａの外周部先端面と締付ナット３６の第１段部４５との間には隙間が形成され、抜け止めリング３４が配管の回動によって回動できるようになっている。前記案内筒部４１の基端側には２つの環状溝５２が凹設され、それぞれ異なる形状のシールリング３３が嵌着され、案内筒部４１の外周面と差し込み空間３８に差し込まれた配管の内周面との間で湯水又は水をシールするようになっている。
【００２７】
そして、分岐配管１５等の配管を締付ナット３６の開口端より差し込み空間３８に差し込むと、配管は補助リング４８の内部を通り、抜け止めリング３４の保持爪３４ｂに摺接し、保持爪３４ｂを拡径変形させながら差し込み空間３８の最も奥に到って止まるようになっている。このとき、補助リング４８の内径は配管の外径より大きく設定されているため、配管差し込み時の抵抗はなく、抜け止めリング３４を通過するときには抜け止めリング３４が１枚であるため、差し込み時の抵抗は少なく、配管の差し込みを円滑に行うことができる。
【００２８】
その状態で、配管に引き抜き力が加わったときには、抜け止めリング３４の保持爪３４ｂが配管の外周部に食い込み、その軸線方向に対する保持爪３４ｂの傾斜角度が大きくなる。そのため、補助リング４８の接触部４９の斜面に保持爪３４ｂの傾斜による力が加えられ、補助リング４８は縮径方向（内方）へ付勢されると同時に、先端側へ付勢される。このとき、補助リング４８のテーパ面が締付ナット３６の傾斜面４７に係合しているため、補助リング４８の先端部は締付ナット３６の傾斜面４７に沿って斜め下方へ移動する。従って、補助リング４８の締付部５０が配管の外周面を押圧して締付ける。
【００２９】
次に、前記第１ヘッダー１３及び第２ヘッダー２５について説明する。図５に示すように、第１ヘッダー１３又は第２ヘッダー２５は、略円筒状をなすヘッダー本体５５と、該ヘッダー本体５５の側部に開口された複数（本実施形態では７つ）の雌ねじ孔５６に螺合接続される複数（本実施形態では７つ）の継手１４とから構成されている。前記ヘッダー本体５５は金属材料又は樹脂材料により形成され、その内部にはヘッダー本体５５の軸線方向に延びる流路５７が形成されている。ヘッダー本体５５の両開口端部には雌ねじ孔５６が形成され、一端の雌ねじ孔５６には継手１４を介して前記第１メイン配管１２又は第２メイン配管２４が接続され、他端の雌ねじ孔５６には図示しない閉塞部材が螺合接続されている。前記ヘッダー本体５５側部の継手１４には、分岐配管１５が接続される。
【００３０】
さて、本実施形態の作用について説明すると、ヘッダー工法においては、給湯器１１を作動させて得られる湯水は第１メイン配管１２を通り、一旦第１ヘッダー１３に貯留され、そこから７本の分岐配管１５に分岐されて各水廻り設備に給湯される。一方、給水源２３から供給される水は第２メイン配管２４を通り、一旦第２ヘッダー２５に貯留され、そこから７本の分岐配管１５に分岐されて各水廻り設備に給水される。
【００３１】
また、分岐工法においては、給湯器１１からの湯水は第１メイン配管１２、継手１４及び分岐配管１５を通って各水廻り設備に給湯される。一方、給水源２３から供給される水は第２メイン配管２４、継手１４及び分岐配管１５を通って各水廻り設備に給水される。
【００３２】
これらのヘッダー工法及び分岐工法のいずれの配管システムにおいても、給湯側の第１メイン配管１２の内径を給水側の第２メイン配管２４の内径より小さくなるように設定することで、第１メイン配管１２の断面積を第２メイン配管２４の断面積よりも小さくすることができる。このため、給湯器１１で加熱された湯水は、第１メイン配管１２の内径を第２メイン配管２４の内径と同じにした場合に比べて第１メイン配管１２内を流れる流速が上昇し、各水廻り設備に供給される湯水について湯待ち時間を短くすることができると共に、湯水の湯温も高く維持することができる。この場合、給水源２３に接続される第２メイン配管２４の内径は従来と変わらないので、各水廻り設備に供給される水の流量を保持することができる。
【００３３】
以上詳述した実施形態によって発揮される効果を以下にまとめて説明する。
・  本実施形態の配管システムにおいては、給湯器１１に接続される第１メイン配管１２の内径が給水源２３に接続される第２メイン配管２４の内径より小さくなるように設定されている。従って、各水廻り設備に供給される湯水について湯待ち時間を短縮することができると共に、各水廻り設備に供給される水の流量を維持することができる。特に、第１メイン配管の内径が１０〜１４ｍｍ（口径１３Ａ：内径が１２．８ｍｍ）であり、第２メイン配管の内径が１５〜２２ｍｍ（口径１６Ａ：内径が１６．２ｍｍ、口径２０Ａ：内径が２０．５ｍｍ）であることが好ましい。さらに、前記第１メイン配管１２の内径が１０〜１４ｍｍ（口径１３Ａ：内径が１２．８ｍｍ）であると共に、給湯側が分岐工法で、かつ給水側がヘッダー工法であることが最も好ましい形態である。
【００３４】
・  前記給湯側の分岐配管１５が第１ヘッダー１３を介して第１メイン配管１２に接続され、給水側の分岐配管１５が第２ヘッダー２５を介して第２メイン配管２４に接続されるヘッダー工法により、給湯器１１又は給水源２３から供給される湯水又は水が一旦ヘッダー本体５５内に貯留され、そこから各分岐配管１５に分岐される。従って、複数の水廻り設備における湯水又は水の流量や、湯水の湯温のばらつきを抑えることができる。
【００３５】
・  前記給湯側の分岐配管１５が継手１４を介して第１メイン配管１２に直接接続されると共に、給水側の分岐配管１５が継手１４を介して第２メイン配管２４に直接接続される分岐工法が採用される。この場合、第１ヘッダー１３又は第２ヘッダー２５による抵抗（滞留）がないため、各水廻り設備への湯水及び水の流量を増加させることができると共に、湯水の湯待ち時間を短縮することができる。
【００３６】
・  前記継手１４における分岐配管１５のシールが分岐配管１５の外周面でシールする構造を有している。このため、継手１４におけるシールが分岐配管１５の内周面でシールする構造に比べて、湯水又は水の流路を広げることができる。従って、各水廻り設備への湯水及び水の流量を増加させることができる。
【実施例】
【００３７】
以下に、参考例、実施例及び比較例を挙げて前記実施形態をさらに具体的に説明するが、本発明はそれらの実施例に限定されるものではない。
まず、本発明の配管システムにおける水廻り設備での湯待ち時間と湯水及び水の流量についての傾向を見極めるための参考例について説明する。なお、各例において、水圧（元圧）は０．２ＭＰａで一定とした。
〔シャワー設備１８を個別使用した場合の給水側の流量〕
（参考例１〜３）
ヘッダー工法で水廻り設備としてシャワー設備１８のみを全開して使用し、その他は以下に示すように設定して給水側の流量を測定した。そして、その配管システムにおいて、給水源２３から水を各水廻り設備に供給し、シャワー設備１８での水の流量（Ｌ／分）を測定した。
【００３８】
参考例１：ヘッダー工法、第２メイン配管２４の口径２０Ａ（内径が２０．５ｍｍ）及び長さ８ｍ。この結果を図６（ａ）に示した。
参考例２：ヘッダー工法、第２メイン配管２４の口径１３Ａ（内径が１２．８ｍｍ）及び長さ２ｍ。この結果を図６（ａ）に示した。
【００３９】
参考例３：ヘッダー工法、第２メイン配管２４の口径１６Ａ（内径が１６．２ｍｍ）及び長さ５ｍ。この結果を図６（ｂ）に示した。
これらの結果より、外径シール及び内径シールのそれぞれについて、第２メイン配管２４の内径による水の流量変化はほとんど見られなかった。また、水の流量は、第２メイン配管２４の内径にかかわらず、外径シールの方が内径シールに比べて多い結果であった。
（参考例４〜６）
分岐工法で水廻り設備としてシャワー設備１８のみを全開して使用し、その他は以下に示すように設定して給水側の流量を測定した。そして、その配管システムにおいて、給水源２３から水を各水廻り設備に供給し、シャワー設備１８での水の流量（Ｌ／分）を測定した。
【００４０】
参考例４：分岐工法（４分岐）、第２メイン配管２４の口径２０Ａ及び長さ９．２ｍ。この結果を図７（ａ）に示した。
参考例５：分岐工法（４分岐）、第２メイン配管２４の口径１３Ａ及び長さ９．２ｍ。この結果を図７（ａ）に示した。
【００４１】
参考例６：分岐工法（４分岐）、第２メイン配管２４の口径１６Ａ及び長さ９．２ｍ。この結果を図７（ｂ）に示した。
これらの結果より、外径シール及び内径シールのそれぞれについて、水の流量は第２メイン配管２４の内径が大きいほど多くなった。また、水の流量は、第２メイン配管２４の内径にかかわらず、外径シールの方が内径シールに比べて多い結果であった。さらに、参考例４〜６の分岐工法では、前記参考例１〜３のヘッダー工法に比べてほぼ同等の水の流量であった。
（参考例７〜９）
分岐工法で水廻り設備としてシャワー設備１８のみを全開して使用し、その他は以下に示すように設定して給水側の流量を測定した。そして、その配管システムにおいて、給水源２３から水を各水廻り設備に供給し、シャワー設備１８での水の流量（Ｌ／分）を測定した。
【００４２】
参考例７：分岐工法（７分岐）、第２メイン配管２４の口径２０Ａ及び長さ９．２ｍ。この結果を図８（ａ）に示した。
参考例８：分岐工法（７分岐）、第２メイン配管２４の口径１３Ａ）及び長さ９．２ｍ。この結果を図８（ａ）に示した。
【００４３】
参考例９：分岐工法（７分岐）、第２メイン配管２４の口径１６Ａ及び長さ９．２ｍ。この結果を図８（ｂ）に示した。
これらの参考例７〜９の結果を参考例４〜６の結果と比較すると、ほぼ同等の結果であり、分岐工法において、４分岐の場合と７分岐の場合でほとんど変化がなかった。
〔シャワー設備１８と台所設備２２とを同時使用した場合の給水側の流量〕
（参考例１０〜１２）
ヘッダー工法で水廻り設備としてシャワー設備１８を全開して使用し、台所設備２２での水の流量を６（Ｌ／分）とし、その他は以下に示すように設定して給水側の流量を測定した。そして、その配管システムにおいて、給水源２３から水を各水廻り設備に供給し、シャワー設備１８での水の流量（Ｌ／分）を測定した。
【００４４】
参考例１０：ヘッダー工法、第２メイン配管２４の口径２０Ａ、その長さ２ｍ、及び分岐配管１５の口径１３Ａ。この結果を図９（ａ）に示した。
参考例１１：ヘッダー工法、第２メイン配管２４の口径１３Ａ、その長さ２ｍ及び分岐配管１５の口径１３Ａ。この結果を図９（ａ）に示した。
【００４５】
参考例１２：ヘッダー工法、第２メイン配管２４の口径１６Ａ、その長さ２ｍ及び分岐配管１５の口径１３Ａ。この結果を図９（ｂ）に示した。
これらの結果より、外径シール及び内径シールのそれぞれについて、第２メイン配管２４の内径による水の流量の変化はほとんど見られなかった。また、水の流量は、第２メイン配管２４の内径にかかわらず、外径シールの方が内径シールに比べて多い結果であった。さらに、参考例１０〜１２の同時使用の場合には、前記参考例１〜３の個別使用の場合に比較して水の流量は低下した。
（参考例１３〜１５）
分岐工法で水廻り設備としてシャワー設備１８のみを全開して使用し、その他は以下に示すように設定して給水側の流量を測定した。そして、その配管システムにおいて、給水源２３から水を各水廻り設備に供給し、シャワー設備１８での水の流量（Ｌ／分）を測定した。
【００４６】
参考例１３：分岐工法（４分岐）、第２メイン配管２４の口径２０Ａ、長さ９．２ｍ及び分岐配管１５の口径１３Ａ。この結果を図１０（ａ）に示した。
参考例１４：分岐工法（４分岐）、第２メイン配管の口径１３Ａ、その分岐配管口径１３Ａ及び分岐配管１５の口径１３Ａ。この結果を図１０（ａ）に示した。
【００４７】
参考例１５：分岐工法（４分岐）、第２メイン配管２４の口径１３Ａ、及び分岐配管１５の口径１３Ａ。この結果を図１０（ｂ）に示した。
これらの結果より、外径シール及び内径シールのそれぞれについて、水の流量は第２メイン配管２４の内径が大きいほど多くなった。また、水の流量は、第２メイン配管２４の内径にかかわらず、外径シールの方が内径シールに比べて多い結果であった。さらに、参考例１３〜１５の分岐工法の場合には、前記参考例１０〜１２のヘッダー工法に比べて第２メイン配管２４の口径が２０Ａ及び１６Ａではほぼ同等の水の流量であったが、１３Ａでは水の流量が低下した。
（参考例１６〜１８）
分岐工法で水廻り設備としてシャワー設備１８のみを全開して使用し、その他は以下に示すように設定して給水側の流量を測定した。そして、その配管システムにおいて、給水源２３から水を各水廻り設備に供給し、シャワー設備１８での水の流量（Ｌ／分）を測定した。
【００４８】
参考例１６：分岐工法（７分岐）、第２メイン配管２４の口径２０Ａ、長さ９．２ｍ及び分岐配管１５の口径１３Ａ。この結果を図１１（ａ）に示した。
参考例１７：分岐工法（７分岐）、第２メイン配管２４の口径１３Ａ、長さ９．２ｍ及び分岐配管１５の口径１３Ａ。この結果を図１１（ａ）に示した。
【００４９】
参考例１８：分岐工法（７分岐）、第２メイン配管２４の口径１６Ａ、長さ９．２ｍ及び分岐配管１５の口径１３Ａ。この結果を図１１（ｂ）に示した。
これら参考例１６〜１８の結果を参考例１３〜１５の結果と比較すると、ほぼ同等の水の流量であり、分岐工法において、４分岐の場合と７分岐の場合でほとんど変化がなかった。
【００５０】
以上の参考例１〜１８の結果によれば、水廻り設備を個別に使用した場合の給水側の流量は配管の内径が小さくなると若干低下するが、継手１４として外径シールタイプのものを使用すれば、水の流量を十分に確保できることを把握することができた。さらに、２つの水廻り設備を同時に使用した場合にも水の流量は配管の内径が小さくなると低下するが、継手１４として外径シールタイプのものを使用することにより、水の流量を十分に確保できることが判った。
〔シャワー設備１８を個別使用した場合の給湯側の流量〕
（参考例１９〜２１）
給湯器を作動させ、ヘッダー工法で水廻り設備としてシャワー設備１８のみを全開して使用し、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００５１】
参考例１９：ヘッダー工法、第１メイン配管１２の口径２０Ａ及び長さ８ｍ。この結果を図１２（ａ）に示した。
参考例２０：ヘッダー工法、第１メイン配管１２の口径１３Ａ及び長さ２ｍ。この結果を図１２（ａ）に示した。
【００５２】
参考例２１：ヘッダー工法、第１メイン配管１２の口径１６Ａ及び長さ５ｍ。この結果を図１２（ｂ）に示した。
これらの結果より、外径シール及び内径シールのそれぞれについて、第２メイン配管２４の内径の相違による湯水の流量の変化はほとんど見られなかった。
（参考例２２〜２４）
給湯器１１を作動させ、分岐工法で水廻り設備としてシャワー設備１８のみを全開して使用し、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００５３】
参考例２２：分岐工法（４分岐）、第１メイン配管１２の口径２０Ａ及び長さ９．２ｍ。この結果を図１３（ａ）に示した。
参考例２３：分岐工法（４分岐）、第１メイン配管１２の口径１３Ａ及び長さ９．２ｍ。この結果を図１３（ａ）に示した。
【００５４】
参考例２４：分岐工法（４分岐）、第１メイン配管１２の口径１６Ａ及び長さ９．２ｍ。この結果を図１３（ｂ）に示した。
これらの結果より、外径シール及び内径シールのそれぞれについて、湯水の流量は配管の内径が大きいほどわずかに多くなる傾向であった。
（参考例２５〜２７）
給湯器１１を作動させ、分岐工法で水廻り設備としてシャワー設備１８のみを全開して使用し、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００５５】
参考例２５：分岐工法（７分岐）、第１メイン配管１２の口径２０Ａ及び長さ９．２ｍ。この結果を図１４（ａ）に示した。
参考例２６：分岐工法（７分岐）、第１メイン配管１２の口径１３Ａ）及び長さ９．２ｍ。この結果を図１４（ａ）に示した。
【００５６】
参考例２７：分岐工法（７分岐）、第１メイン配管１２の口径１６Ａ及び長さ９．２ｍ。この結果を図１４（ｂ）に示した。
これらの参考例２５〜２７の結果を参考例２２〜２４の結果と比較すると、ほぼ同等の結果であり、分岐工法において、４分岐の場合と７分岐の場合でほとんど変化が見られなかった。
〔シャワー設備１８と台所設備２２とを同時使用した場合の給湯側の流量〕
（参考例２８〜３０）
給湯器１１を作動させ、ヘッダー工法で水廻り設備としてシャワー設備１８を全開して使用し、台所設備２２での水の流量を６（Ｌ／分）とし、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００５７】
参考例２８：ヘッダー工法、第１メイン配管１２の口径２０Ａ、その長さ２ｍ、及び分岐配管１５の口径１３Ａ。この結果を図１５（ａ）に示した。
参考例２９：ヘッダー工法、第１メイン配管１２の口径１３Ａ、その長さ２ｍ及び分岐配管１５の口径１３Ａ。この結果を図１５（ａ）に示した。
【００５８】
参考例３０：ヘッダー工法、第１メイン配管１２の口径１６Ａ、その長さ２ｍ及び分岐配管１５の口径１３Ａ。この結果を図１５（ｂ）に示した。
これらの結果より、継手１４の外径シールと内径シール、及び第２メイン配管２４の内径による湯水の流量の変化はほとんど見られなかった。また、参考例２８〜３０の同時使用の場合には、前記参考例１９〜２１の個別使用の場合に比較して湯水の流量は６割程度に低下した。
（参考例３１〜３３）
給湯器１１を作動させ、分岐工法で水廻り設備としてシャワー設備１８のみを全開して使用し、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００５９】
参考例３１：分岐工法（４分岐）、第１メイン配管１２の口径２０Ａ、長さ９．２ｍ及び分岐配管１５の口径１３Ａ。この結果を図１６（ａ）に示した。
参考例３２：分岐工法（４分岐）、第１メイン配管１２の口径１３Ａ、長さ９．２ｍ及び分岐配管１５の口径１３Ａ。この結果を図１６（ａ）に示した。
【００６０】
参考例３３：分岐工法（４分岐）、第１メイン配管１２の口径１３Ａ、及び分岐配管１５の口径１３Ａ。この結果を図１６（ｂ）に示した。
これらの結果より、第２メイン配管２４の口径が２０Ａ及び１６Ａではほぼ同等の湯水の流量であったが、１３Ａでは湯水の流量が低下した。また、参考例３１〜３３の分岐工法では、参考例２８〜３０のヘッダー工法に比べ、第２メイン配管２４の口径が２０Ａ及び１６Ａでは湯水の流量が増加したが、１３Ａでは湯水の流量が低下した。
（参考例３４〜３６）
給湯器１１を作動させ、分岐工法で水廻り設備としてシャワー設備１８のみを全開して使用し、その他は以下に示すように設定して給湯側の流量を測定した。そして、その配管システムにおいて、給湯器１１から湯水を各水廻り設備に供給し、シャワー設備１８での湯水の流量（Ｌ／分）を測定した。
【００６１】
参考例３４：分岐工法（７分岐）、第１メイン配管１２の口径２０Ａ、長さ９．２ｍ及び分岐配管１５の口径１３Ａ。この結果を図１７（ａ）に示した。
参考例３５：分岐工法（７分岐）、第１メイン配管１２の口径１３Ａ、長さ９．２ｍ及び分岐配管１５の口径１３Ａ。この結果を図１７（ａ）に示した。
【００６２】
参考例３６：分岐工法（７分岐）、第１メイン配管１２の口径１６Ａ、長さ９．２ｍ及び分岐配管１５の口径１３Ａ。この結果を図１７（ｂ）に示した。
これら参考例３４〜３６の結果を参考例３１〜３３の結果と比較すると、湯水の流量は近い値を示しており、分岐工法において、４分岐の場合と７分岐の場合とで変化が少ない結果であった。
【００６３】
上記参考例１９〜３６の結果によれば、水廻り設備を個別に使用した場合の給湯側の流量は配管の内径が小さくなると若干低下するが、継手１４として外径シールタイプのものを使用すれば、湯水の流量を十分に確保できることを把握することができた。さらに、２つの水廻り設備を同時に使用した場合にも湯水の流量は配管の内径が小さくなると低下するが、継手１４として外径シールタイプのものを使用することにより、湯水の流量を十分に確保できることが判った。
〔シャワー設備１８を個別使用した場合の湯待ち時間〕
（参考例３７〜３９）
給湯器１１を作動させ、ヘッダー工法で水廻り設備としてシャワー設備１８のみを全開して使用し、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００６４】
参考例３７：ヘッダー工法、第１メイン配管１２の口径２０Ａ及び長さ８ｍ。この結果を図１８（ａ）に示した。
参考例３８：ヘッダー工法、第１メイン配管１２の口径１３Ａ及び長さ２ｍ。この結果を図１８（ａ）に示した。
【００６５】
参考例３９：ヘッダー工法、第１メイン配管１２の口径１６Ａ及び長さ５ｍ。この結果を図１８（ｂ）に示した。
これらの結果より、外径シール及び内径シールのそれぞれについて、第１メイン配管１２の内径が小さくなるほど湯待ち時間が短くなる傾向が示された。その場合、継手１４は外径シールの方が内径シールに比べて湯待ち時間が若干短くなった。
（参考例４０〜４２）
給湯器１１を作動させ、分岐工法で水廻り設備としてシャワー設備１８のみを全開して使用し、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００６６】
参考例４０：分岐工法（４分岐）、第１メイン配管１２の口径２０Ａ及び長さ９．２ｍ。この結果を図１９（ａ）に示した。
参考例４１：分岐工法（４分岐）、第１メイン配管１２の口径１３Ａ及び長さ９．２ｍ。この結果を図１９（ａ）に示した。
【００６７】
参考例４２：分岐工法（４分岐）、第１メイン配管１２の口径１６Ａ及び長さ９．２ｍ。この結果を図１９（ｂ）に示した。
これらの結果より、外径シール及び内径シールのそれぞれについて、湯待ち時間は配管の内径が小さいほど短くなる傾向であった。また、参考例４０〜４２の分岐工法の場合には、参考例３７〜３９のヘッダー工法の場合に比べ、第１メイン配管１２の口径が２０Ａ及び１６Ａでは湯待ち時間が短くなった。
（参考例４３〜４５）
給湯器１１を作動させ、分岐工法で水廻り設備としてシャワー設備１８のみを全開して使用し、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００６８】
参考例４３：分岐工法（７分岐）、第１メイン配管１２の口径２０Ａ及び長さ９．２ｍ。この結果を図２０（ａ）に示した。
参考例４４：分岐工法（７分岐）、第１メイン配管１２の口径１３Ａ及び長さ９．２ｍ。この結果を図２０（ａ）に示した。
【００６９】
参考例４５：分岐工法（７分岐）、第１メイン配管１２の口径１６Ａ及び長さ９．２ｍ。この結果を図２０（ｂ）に示した。
これらの結果より、外径シール及び内径シールのそれぞれについて、湯待ち時間は配管の内径が小さいほど短くなると共に、外径シールの場合の方が内径シールの場合よりも短い傾向であった。また、これら参考例４３〜４５の結果を参考例４０〜４２の結果と比較すると、近似する結果であり、分岐工法において、４分岐の場合と７分岐の場合で変化は少なかった。
〔シャワー設備１８と台所設備２２とを同時使用した場合の湯待ち時間〕
（参考例４６〜４８）
給湯器１１を作動させ、ヘッダー工法で水廻り設備としてシャワー設備１８を全開して使用し、台所設備２２での水の流量を６（Ｌ／分）とし、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００７０】
参考例４６：ヘッダー工法、第１メイン配管１２の口径２０Ａ、その長さ８ｍ、及び分岐配管１５の口径１３Ａ。この結果を図２１（ａ）に示した。
参考例４７：ヘッダー工法、第１メイン配管１２の口径１３Ａ、その長さ２ｍ及び分岐配管１５の口径１３Ａ。この結果を図２１（ａ）に示した。
【００７１】
参考例４８：ヘッダー工法、第１メイン配管１２の口径１６Ａ、その長さ５ｍ及び分岐配管１５の口径１３Ａ。この結果を図２１（ｂ）に示した。
これらの結果より、外径シール及び内径シールのそれぞれについて、湯待ち時間は配管の内径が小さいほど短くなる傾向であった。また、参考例４６〜４８の同時使用の場合には、参考例３７〜３９の個別使用の場合に比べ、湯待ち時間は第１メイン配管１２の内径によりばらつきがあるが、近い値を示した。
（参考例４９〜５１）
給湯器１１を作動させ、分岐工法で水廻り設備としてシャワー設備１８のみを全開して使用し、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００７２】
参考例４９：分岐工法（４分岐）、第１メイン配管１２の口径２０Ａ、長さ９．２ｍ及び分岐配管１５の口径１３Ａ。この結果を図２２（ａ）に示した。
参考例５０：分岐工法（４分岐）、第１メイン配管１２の口径１３Ａ、長さ９．２ｍ及び分岐配管１５の口径１３Ａ。この結果を図２２（ａ）に示した。
【００７３】
参考例５１：分岐工法（４分岐）、第１メイン配管１２の口径１６Ａ、長さ９．２ｍ及び分岐配管１５の口径１３Ａ。この結果を図２２（ｂ）に示した。
これらの結果より、外径シール及び内径シールのそれぞれについて、湯待ち時間は配管の内径が小さいほど短くなる傾向であると共に、外径シールの場合の方が内径シールの場合よりも短くなる結果であった。また、参考例４９〜５１の分岐工法の場合には、参考例４６〜４８のヘッダー工法の場合に比べ、湯待ち時間は明らかに短縮された。
（参考例５２〜５４）
給湯器１１を作動させ、分岐工法で水廻り設備としてシャワー設備１８のみを全開して使用し、その他は以下に示すように設定し、シャワー設備１８における湯待ち時間を測定した。そして、その配管システムにおいて、給湯器１１から湯水を各水廻り設備に供給し、シャワー設備１８での湯待ち時間（秒）を測定した。
【００７４】
参考例５２：分岐工法（７分岐）、第１メイン配管１２の口径２０Ａ、長さ９．２ｍ及び分岐配管１５の口径１３Ａ。この結果を図２３（ａ）に示した。
参考例５３：分岐工法（７分岐）、第１メイン配管１２の口径１３Ａ、長さ９．２ｍ及び分岐配管１５の口径１３Ａ。この結果を図２３（ａ）に示した。
【００７５】
参考例５４：分岐工法（７分岐）、第１メイン配管１２の口径１６Ａ、長さ９．２ｍ及び分岐配管１５の口径１３Ａ。この結果を図２３（ｂ）に示した。
これらの参考例５２〜５４の結果を参考例４９〜５１の結果と比較すると、近似した結果であり、分岐工法において、４分岐の場合と７分岐の場合で差が少ない結果であった。
【００７６】
前記の参考例３７〜５４の結果によれば、水廻り設備を個別に使用した場合の湯待ち時間は配管の内径が小さくなると短縮されると共に、２つの水廻り設備を同時に使用した場合にも湯待ち時間は配管の内径が小さくなると短縮される。従って、給水側の第２メイン配管２４に比べて給湯側の第１メイン配管１２の内径が小さくなるように設定することで、給水側の水の流量を維持しつつ、給湯側の湯待ち時間を短縮することができることが明らかになった。
【００７７】
次に、本発明の実施例及び本発明以外の比較例について説明する。
〔給湯側及び給水側が共にヘッダー工法の場合〕
（実施例１）
給湯側の第１メイン配管１２の内径を給水側の第２メイン配管２４の内径より小さくなるように、以下に示す条件で配管システムを構築した。そして、その配管システムにおいて、給湯器１１を作動させて湯水を各水廻り設備に供給すると共に、給水源２３から水を各水廻り設備に供給した。その場合、シャワー設備１８での湯待ち時間（秒）及びシャワー設備１８での湯水及び水の流量（Ｌ／分）を測定した。それらの結果を表１及び図２４（ａ）及び（ｂ）に示した。なお、全ての実施例及び比較例において、水圧を０．２ＭＰａに設定した。
【００７８】
給湯側：ヘッダー工法、第１メイン配管１２の口径１３Ａ及び長さ２ｍ。
給水側：ヘッダー工法、第２メイン配管２４の口径２０Ａ及び長さ８ｍ。
（実施例２）
実施例１において、シャワー設備１８と台所設備２２とを同時使用した以外は、実施例１と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図２７（ａ）及び（ｂ）に示した。
（実施例３）
実施例１において、給水側の第２メイン配管２４として口径１６Ａ及び長さ５ｍに設定した以外は、実施例１と同様に実施した。そして、シャワー設備１８での湯待ち時間（秒）及びシャワー設備１８での湯水及び水の流量（Ｌ／分）を測定した。それらの結果を表１及び図２５（ａ）及び（ｂ）に示した。
（実施例４）
実施例３において、シャワー設備１８と台所設備２２とを同時使用した以外は、実施例３と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図２８（ａ）及び（ｂ）に示した。
（比較例１）
実施例１において、給湯側の第１メイン配管１２として口径２０Ａ及び長さ８ｍに設定した以外は実施例１と同様に実施した。そして、シャワー設備１８での湯待ち時間（秒）及びシャワー設備１８での湯水及び水の流量（Ｌ／分）を測定した。それらの結果を表１及び図２６（ａ）及び（ｂ）に示した。
（比較例２）
比較例１において、シャワー設備１８と台所設備２２とを同時使用した以外は、比較例１と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図２９（ａ）及び（ｂ）に示した。
〔給湯側及び給水側が共に分岐工法である場合〕
（実施例５）
給湯側の第１メイン配管１２の内径を給水側の第２メイン配管２４の内径より小さくなるように、以下に示す条件で配管システムを構築した。そして、その配管システムにおいて、給湯器１１を作動させて湯水を各水廻り設備に供給すると共に、給水源２３から水を各水廻り設備に供給した。その場合、シャワー設備１８での湯待ち時間（秒）及びシャワー設備１８での湯水及び水の流量（Ｌ／分）を測定した。それらの結果を表１及び図３０（ａ）及び（ｂ）に示した。
【００７９】
給湯側：分岐工法、第１メイン配管１２の口径１３Ａ及び長さ９．２ｍ、水圧０．２ＭＰａ。
給水側：分岐工法、第２メイン配管２４の口径２０Ａ及び長さ９．２ｍ、水圧０．２ＭＰａ。
（実施例６）
実施例５において、シャワー設備１８と台所設備２２とを同時使用した以外は、実施例５と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図３３（ａ）及び（ｂ）に示した。
（実施例７）
実施例５において、給水側の第２メイン配管２４として口径１６Ａに設定した以外は、実施例５と同様に実施した。そして、シャワー設備１８での湯待ち時間（秒）及びシャワー設備１８での湯水及び水の流量（Ｌ／分）を測定した。それらの結果を表１及び図３１（ａ）及び（ｂ）に示した。
（実施例８）
実施例７において、シャワー設備１８と台所設備２２とを同時使用した以外は、実施例７と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図３４（ａ）及び（ｂ）に示した。
（比較例３）
実施例５において、給湯側の第１メイン配管１２として口径２０Ａのものを用い、給水側の第２メイン配管２４と同じ内径になるように設定した以外は実施例１と同様に実施した。そして、シャワー設備１８での湯待ち時間（秒）及びシャワー設備１８での湯水及び水の流量（Ｌ／分）を測定した。それらの結果を表１及び図３２（ａ）及び（ｂ）に示した。
（比較例４）
比較例３において、シャワー設備１８と台所設備２２とを同時使用した以外は、比較例３と同様に実施した。その場合、シャワー設備１８を全開とし、台所設備２２における流量を６（Ｌ／分）に設定した。そして、シャワー設備１８での湯待ち時間（秒）及びシャワー設備１８での湯水及び水の流量（Ｌ／分）を測定した。それらの結果を表１及び図３５（ａ）及び（ｂ）に示した。
【００８０】
【表１】
0004682079.tif 000002
表１に示したように、ヘッダー工法を採った実施例１を比較例１と比較すると、実施例１における給湯側の第１メイン配管１２の内径を比較例１における給湯側の第１メイン配管１２の内径より小さくなるように設定したことから、外径シール及び内径シール共に、湯待ち時間を１７秒前後短縮することができた。この場合、給湯側の湯水及び給水側の水の流量は、比較例１の場合とほぼ同等であった。
【００８１】
また、シャワー設備１８と台所設備２２との同時使用についても、実施例２を比較例２と比較すると、実施例２における給湯側の第１メイン配管１２の内径を比較例２における給湯側の第１メイン配管１２の内径より小さくなるように設定したことから、外径シール及び内径シール共に、湯待ち時間を１４秒余り短縮することができた。
【００８２】
さらに、実施例３を比較例１と比較すると、実施例３における給湯側の第１メイン配管１２の内径を比較例１における給湯側の第１メイン配管１２の内径より小さくなるように設定したことから、実施例１と同様に外径シール及び内径シール共に、湯待ち時間を１７秒前後短縮することができた。また、実施例３では給水側の第２メイン配管２４の内径を実施例１の場合よりも小さく設定したが、給湯側の湯水及び給水側の水の流量は、実施例１の場合とほぼ同等であった。
【００８３】
加えて、シャワー設備１８と台所設備２２との同時使用についても、実施例４を比較例２と比較すると、実施例４における給湯側の第１メイン配管１２の内径を比較例２における給湯側の第１メイン配管１２の内径より小さくなるように設定したことから、実施例２と同様に外径シール及び内径シール共に、湯待ち時間を１４秒余り短縮することができた。
【００８４】
また、分岐工法を採った実施例５を比較例３と比較すると、実施例５における給湯側の第１メイン配管１２の内径を比較例３における給湯側の第１メイン配管１２の内径より小さくなるように設定したことから、外径シール及び内径シール共に、湯待ち時間を１０秒前後短縮することができた。この場合、給湯側の湯水の流量は比較例３の場合に比べて若干低下したが、給水側の水の流量は比較例３の場合に比べて同等であった。
【００８５】
また、シャワー設備１８と台所設備２２との同時使用についても、実施例６を比較例４と比較すると、実施例６における給湯側の第１メイン配管１２の内径を比較例４における給湯側の第１メイン配管１２の内径より小さくなるように設定したことから、湯待ち時間を外径シールでは８秒短縮することができ、内径シールでは３．７秒短縮することができた。
【００８６】
さらに、実施例７を比較例３と比較すると、実施例７における給湯側の第１メイン配管１２の内径を比較例３における給湯側の第１メイン配管１２の内径より小さくなるように設定したことから、実施例５と同様に外径シール及び内径シール共に、湯待ち時間を１０秒前後短縮することができた。また、実施例７では給水側の第２メイン配管２４の内径を実施例５の場合よりも小さく設定したが、給湯側の湯水及び給水側の水の流量は、実施例５の場合とほぼ同等であった。
【００８７】
加えて、シャワー設備１８と台所設備２２との同時使用についても、実施例８を比較例４と比較すると、実施例８における給湯側の第１メイン配管１２の内径を比較例４における給湯側の第１メイン配管１２の内径より小さくなるように設定した。そのため、湯待ち時間を外径シールでは８秒短縮することができ、内径シールでは３．７秒短縮することができた。
【００８８】
なお、前記実施形態を次のように変更して構成することもできる。
・  ヘッダー工法における第１ヘッダー１３又は第２ヘッダー２５からの分岐配管１５の分岐数或いは分岐工法における継手１４からの分岐配管１５の分岐数を、水廻り設備の数に応じて例えば４分岐、１０分岐等に変更することもできる。
【００８９】
・  給湯側と給水側についてヘッダー工法と分岐工法とを組合せて実施することもできる。すなわち、給湯側をヘッダー工法、給水側を分岐工法又は給湯側を分岐工法、給水側をヘッダー工法にすることも可能である。
【００９０】
・  給湯側における分岐配管１５の内径を、給水側における分岐配管１５の内径よりも小さくなるように設定することもできる。
・  水廻り設備として洗面設備１６、シャワー設備１８等以外の設備を用いることができると共に、各水廻り設備を複数用いることもできる。
【００９１】
・  配管システムにおける水圧（元圧）を、例えば０．１〜０．４ＭＰａの範囲で変動させることができる。
さらに、前記実施形態より把握される技術的思想について以下に記載する。
【００９２】
・  前記第１メイン配管の内径が１０〜１４ｍｍであり、第２メイン配管の内径が１５〜２２ｍｍであることを特徴とする配管システム。
【００９３】
・  前記第１メイン配管の内径が１０〜１４ｍｍであると共に、第１メイン配管に継手を介して複数の分岐配管を分岐接続し、第２メイン配管にヘッダーを介して複数の分岐配管を分岐接続することを特徴とする配管システム。
【図面の簡単な説明】
【００９４】
【図１】給湯側及び給水側共にヘッダー工法を採用した実施形態の配管システムを示す説明図。
【図２】給湯側及び給水側共に分岐工法を採用した実施形態の配管システムを示す説明図。
【図３】外径シールの継手に配管を差し込む状態を示す断面図。
【図４】内径シールの継手に配管を差し込む状態を示す半断面図。
【図５】ヘッダーに継手を接続する状態を示す一部破断した正面図。
【図６】（ａ）及び（ｂ）は、参考例１〜３において、配管及び継手の種類を変えた場合の水の流量を示すグラフ。
【図７】（ａ）及び（ｂ）は、参考例４〜６において、配管及び継手の種類を変えた場合の水の流量を示すグラフ。
【図８】（ａ）及び（ｂ）は、参考例７〜９において、配管及び継手の種類を変えた場合の水の流量を示すグラフ。
【図９】（ａ）及び（ｂ）は、参考例１０〜１２において、配管及び継手の種類を変えた場合の水の流量を示すグラフ。
【図１０】（ａ）及び（ｂ）は、参考例１３〜１５において、配管及び継手の種類を変えた場合の水の流量を示すグラフ。
【図１１】（ａ）及び（ｂ）は、参考例１６〜１８において、配管及び継手の種類を変えた場合の水の流量を示すグラフ。
【図１２】（ａ）及び（ｂ）は、参考例１９〜２１において、配管及び継手の種類を変えた場合の水の流量を示すグラフ。
【図１３】（ａ）及び（ｂ）は、参考例２２〜２４において、配管及び継手の種類を変えた場合の水の流量を示すグラフ。
【図１４】（ａ）及び（ｂ）は、参考例２５〜２７において、配管及び継手の種類を変えた場合の水の流量を示すグラフ。
【図１５】（ａ）及び（ｂ）は、参考例２８〜３０において、配管及び継手の種類を変えた場合の水の流量を示すグラフ。
【図１６】（ａ）及び（ｂ）は、参考例３１〜３３において、配管及び継手の種類を変えた場合の水の流量を示すグラフ。
【図１７】（ａ）及び（ｂ）は、参考例３４〜３６において、配管及び継手の種類を変えた場合の水の流量を示すグラフ。
【図１８】（ａ）及び（ｂ）は、参考例３７〜３９において、配管及び継手の種類を変えた場合の湯待ち時間を示すグラフ。
【図１９】（ａ）及び（ｂ）は、参考例４０〜４２において、配管及び継手の種類を変えた場合の湯待ち時間を示すグラフ。
【図２０】（ａ）及び（ｂ）は、参考例４３〜４５において、配管及び継手の種類を変えた場合の湯待ち時間を示すグラフ。
【図２１】（ａ）及び（ｂ）は、参考例４６〜４８において、配管及び継手の種類を変えた場合の湯待ち時間を示すグラフ。
【図２２】（ａ）及び（ｂ）は、参考例４９〜５１において、配管及び継手の種類を変えた場合の湯待ち時間を示すグラフ。
【図２３】（ａ）及び（ｂ）は、参考例５２〜５４において、配管及び継手の種類を変えた場合の湯待ち時間を示すグラフ。
【図２４】（ａ）は実施例１において、継手のシール形態と湯待ち時間との関係を示すグラフ、（ｂ）は実施例１において、継手のシール形態を変えた場合の給湯側の湯水の流量及び給水側の水の流量を示すグラフ。
【図２５】（ａ）は実施例３において、継手のシール形態と湯待ち時間との関係を示すグラフ、（ｂ）は実施例３において、継手のシール形態を変えた場合の給湯側の湯水の流量及び給水側の水の流量を示すグラフ。
【図２６】（ａ）は比較例１において、継手のシール形態と湯待ち時間との関係を示すグラフ、（ｂ）は比較例１において、継手のシール形態を変えた場合の給湯側の湯水の流量及び給水側の水の流量を示すグラフ。
【図２７】（ａ）は実施例２において、継手のシール形態と湯待ち時間との関係を示すグラフ、（ｂ）は実施例２において、継手のシール形態を変えた場合の給湯側の湯水の流量及び給水側の水の流量を示すグラフ。
【図２８】（ａ）は実施例４において、継手のシール形態と湯待ち時間との関係を示すグラフ、（ｂ）は実施例４において、継手のシール形態を変えた場合の給湯側の湯水の流量及び給水側の水の流量を示すグラフ。
【図２９】（ａ）は比較例２において、継手のシール形態と湯待ち時間との関係を示すグラフ、（ｂ）は比較例２において、継手のシール形態を変えた場合の給湯側の湯水の流量及び給水側の水の流量を示すグラフ。
【図３０】（ａ）は実施例５において、継手のシール形態と湯待ち時間との関係を示すグラフ、（ｂ）は実施例５において、継手のシール形態を変えた場合の給湯側の湯水の流量及び給水側の水の流量を示すグラフ。
【図３１】（ａ）は実施例７において、継手のシール形態と湯待ち時間との関係を示すグラフ、（ｂ）は実施例７において、継手のシール形態を変えた場合の給湯側の湯水の流量及び給水側の水の流量を示すグラフ。
【図３２】（ａ）は比較例３において、継手のシール形態と湯待ち時間との関係を示すグラフ、（ｂ）は比較例３において、継手のシール形態を変えた場合の給湯側の湯水の流量及び給水側の水の流量を示すグラフ。
【図３３】（ａ）は実施例６において、継手のシール形態と湯待ち時間との関係を示すグラフ、（ｂ）は実施例６において、継手のシール形態を変えた場合の給湯側の湯水の流量及び給水側の水の流量を示すグラフ。
【図３４】（ａ）は実施例８において、継手のシール形態と湯待ち時間との関係を示すグラフ、（ｂ）は実施例８において、継手のシール形態を変えた場合の給湯側の湯水の流量及び給水側の水の流量を示すグラフ。
【図３５】（ａ）は比較例４において、継手のシール形態と湯待ち時間との関係を示すグラフ、（ｂ）は比較例４において、継手のシール形態を変えた場合の給湯側の湯水の流量及び給水側の水の流量を示すグラフ。
【符号の説明】
【００９５】
１１…給湯器、１２…第１メイン配管、１３…第１ヘッダー、１４…継手、１５…分岐配管、１６…水廻り設備としての洗面設備、１７…水廻り設備としてのトイレ設備、１８…水廻り設備としてのシャワー設備、１９…水廻り設備としての風呂設備、２０…水廻り設備としての洗濯設備、２１…水廻り設備としての暖房設備、２２…水廻り設備としての台所設備、２３…給水源、２４…第２メイン配管、２５…第２ヘッダー。
【図１】
0004682079.tif 000003
【図２】
0004682079.tif 000004
【図３】
0004682079.tif 000005
【図４】
0004682079.tif 000006
【図５】
0004682079.tif 000007
【図６】
0004682079.tif 000008
【図７】
0004682079.tif 000009
【図８】
0004682079.tif 000010
【図９】
0004682079.tif 000011
【図１０】
0004682079.tif 000012
【図１１】
0004682079.tif 000013
【図１２】
0004682079.tif 000014
【図１３】
0004682079.tif 000015
【図１４】
0004682079.tif 000016
【図１５】
0004682079.tif 000017
【図１６】
0004682079.tif 000018
【図１７】
0004682079.tif 000019
【図１８】
0004682079.tif 000020
【図１９】
0004682079.tif 000021
【図２０】
0004682079.tif 000022
【図２１】
0004682079.tif 000023
【図２２】
0004682079.tif 000024
【図２３】
0004682079.tif 000025
【図２４】
0004682079.tif 000026
【図２５】
0004682079.tif 000027
【図２６】
0004682079.tif 000028
【図２７】
0004682079.tif 000029
【図２８】
0004682079.tif 000030
【図２９】
0004682079.tif 000031
【図３０】
0004682079.tif 000032
【図３１】
0004682079.tif 000033
【図３２】
0004682079.tif 000034
【図３３】
0004682079.tif 000035
【図３４】
0004682079.tif 000036
【図３５】
0004682079.tif 000037